(57)【要約】【課題】より短時間で複数の画像データを取得する。【解決手段】画像生成装置が、プラント装置が備える設備機器の稼働状況を表すプラントデータとプラントデータを所定の形式で表示させるベース画面データとに基づいて、表示装置に画面を表示させる描画情報を生成する描画情報生成ステップと、画像生成装置が、描画情報に基づいて、プラント装置の稼働状況を表す画像データを生成する画像データ生成ステップと、を有する画像生成方法。【選択図】図１
2019020833.tif 000002
【特許請求の範囲】
【請求項１】
画像生成装置が、プラント装置が備える設備機器の稼働状況を表すプラントデータと前記プラントデータを所定の形式で表示させるベース画面データとに基づいて、表示装置に画面を表示させる描画情報を生成する描画情報生成ステップと、
画像生成装置が、前記描画情報に基づいて、前記プラント装置の稼働状況を表す画像データを生成する画像データ生成ステップと、
を有する画像生成方法。
【請求項２】
前記画像データ生成ステップは、前記画像生成装置が有する主記憶装置に記憶された前記描画情報に基づいて、前記画像データを生成する、
請求項１に記載の画像生成方法。
【請求項３】
前記画像データ生成ステップは、予め指定された条件に応じて前記画像データをグルーピングし記憶させる、
請求項１または２に記載の画像生成方法。
【請求項４】
プラント装置が備える設備機器の稼働状況を表すプラントデータと前記プラントデータを所定の形式で表示させるベース画面データとに基づいて、表示装置に画面を表示させる描画情報を生成する描画情報生成部と、
前記描画情報に基づいて、前記プラント装置の稼働状況を表す画像データを生成する画像データ生成部と、
を備える画像生成装置。
【発明の詳細な説明】
【技術分野】
【０００１】
本発明は、画像生成方法及び画像生成装置に関する。
【背景技術】
【０００２】
従来、発電設備等のプラントでは、設備機器等の運転状況を監視し、各設備機器の運転出力及び温度等の各種パラメータのプロセス値をプラントデータとして取得し、異常の有無を判定している。このようなプラント監視技術では、プラントの運転状況をできるだけ正確に把握するため、短い周期で周期的にプラントデータを取得する。そして、最新のプラントデータに基づいた現在の運転状況を、系統図（グラフィック）画面、トレンドグラフ、一覧表示又はサマリ画面等の複数の表示形式で画面表示させている。
【０００３】
重要なパラメータのプロセス値は、事故時や事故に至る前の過渡事象として異常値を示す。このような場合や、プラントにおける各種の事象発生時には、プラント監視装置は、表示装置に表示される状況表示画像及び設計情報等を画像データとして保存する。そして、報告書に画像データの貼付けが必要な場合、ユーザは、ビットマップ処理用のソフトウェアを活用することによって、電子データを用いた簡単な操作だけで画像データを貼付けできる。
【０００４】
周期的または常態的に取得される電子データを特定の表示形式で表現した画像データを蓄積する画像蓄積装置が知られている（例えば、特許文献１参照）。特許文献１に記載された画像蓄積装置は、プラント監視に関する画像データを、利用しやすい形で分類、整理してユーザに提供する。また、このような監視目的で取得した画像データを効率的に記録保存する監視装置が知られている（例えば、特許文献２参照）。
【先行技術文献】
【特許文献】
【０００５】
【特許文献１】特開２００５−３０１８３６号公報
【特許文献２】特開２００８−１９３４９１号公報
【発明の概要】
【発明が解決しようとする課題】
【０００６】
しかしながら、画像データを参照するプラント監視装置では、ディスプレイに表示されている画面のみ画像データを記録可能である。そこで従来では、複数の画面の画像データを取得するためには、画面を切り替えて順次画像データを取得する必要があり、時間を要した。
【０００７】
上記事情に鑑み、本発明は、より短時間で複数の画像データを取得することができる技術を提供することを目的としている。
【課題を解決するための手段】
【０００８】
本発明の一態様は、画像生成装置が、プラント装置が備える設備機器の稼働状況を表すプラントデータと前記プラントデータを所定の形式で表示させるベース画面データとに基づいて、表示装置に画面を表示させる描画情報を生成する描画情報生成ステップと、画像生成装置が、前記描画情報に基づいて、前記プラント装置の稼働状況を表す画像データを生成する画像データ生成ステップと、を有する画像生成方法。
【０００９】
本発明の一態様は、上記の画像生成方法であって、前記画像データ生成ステップは、前記画像生成装置が有する主記憶装置に記憶された前記描画情報に基づいて、前記画像データを生成する。
【００１０】
本発明の一態様は、上記の画像生成方法であって、前記画像データ生成ステップは、予め指定された条件に応じて前記画像データをグルーピングし記憶させる。
【００１１】
本発明の一態様は、プラント装置が備える設備機器の稼働状況を表すプラントデータと前記プラントデータを所定の形式で表示させるベース画面データとに基づいて、表示装置に画面を表示させる描画情報を生成する描画情報生成部と、前記描画情報に基づいて、前記プラント装置の稼働状況を表す画像データを生成する画像データ生成部と、を備える画像生成装置。
【発明の効果】
【００１２】
本発明により、より短時間で複数の画像データを取得することが可能となる。
【図面の簡単な説明】
【００１３】
【図１】本実施形態におけるプラント監視装置１００を含む監視制御システム１の構成図である。
【図２】本実施形態におけるプラント監視装置１００による画像データ生成の系統図である。
【図３】本実施形態における画面データの一具体例を示す図である。
【図４】本実施形態の画像データ生成の処理の流れを示すフローチャートである。
【発明を実施するための形態】
【００１４】
以下、本発明の一実施形態を、図面を参照しながら説明する。図１は、本実施形態におけるプラント監視装置１００を含む監視制御システム１の構成図である。監視制御システム１は、プラント装置２００の運転状況を監視するシステムである。監視制御システム１は、ネットワーク４００を介して互いに通信可能に接続されたプラント監視装置１００及びコントローラ３００を備える。
【００１５】
プラント監視装置１００は、コントローラ３００から出力データをプラントデータとして取得する。プラント監視装置１００は、プラントデータ及びベース画面データに基づいて、描画情報を生成し、画面データとして表示装置に表示する。画面データは、数ページから数十ページある。ユーザは、画面操作で表示装置の画面データを切り替える。ユーザは、画面データに基づいて、プラント装置２００の異常の有無を判定する。プラント監視装置１００は、画像生成装置の一態様である。
【００１６】
プラント装置２００は、プラント監視装置１００によって監視される装置である。プラント装置２００は、例えば窒素蒸発器、液体窒素貯槽及びヘリウム圧縮機等の設備機器である。プラント装置２００は、コントローラ３００からの入出力指示に応じて、入力データ（例えば、アナログデータ、デジタルデータ）を送信する。コントローラ３００は、プラント装置２００の稼働状況を制御する制御装置である。コントローラ３００は、プラント装置２００に対し、入力データの送信を指示する。コントローラ３００は、入力データに対して所定の計算を行い、出力データ（例えば、アナログデータ、デジタルデータ）を決定する。コントローラ３００は、出力データをプラント監視装置１００に送信する。
【００１７】
図２は、本実施形態におけるプラント監視装置１００による画像データ生成の系統図である。プラント監視装置１００は、バスで接続されたＣＰＵ（Central Processing Unit）やメモリや補助記憶装置などを備え、監視制御プログラムを実行する情報処理装置である。プラント監視装置１００は、監視制御プログラムを実行することによって画像データ設定記憶部１０１、画像データ記憶部１０２、入力部１０３、画像データ取得指示部１０４、画像データ生成指示部１０５、描画情報生成部１０６、通信部１０７、表示部１０８、画像データ生成部１０９及び画像データ出力処理部１１０を備える装置として機能する。また、プラント監視装置１００は、入力装置１２０、表示装置１３０及びプリンタ１４０と接続される。
【００１８】
画像データ設定記憶部１０１は、磁気ハードディスク装置や半導体記憶装置等の記憶装置を用いて構成される。画像データ設定記憶部１０１は、画像データ設定情報を記憶する。画像データ設定情報は、画像データの生成に関する条件を表す。画像データ設定情報は、例えば、画像データの出力ファイル形式（例えば、ＪＰＥＧやＰＮＧ等）、生成された画像データにファイル名及び日時を付与するか否か、画像データの出力ファイルの命名規則、保存場所等を指定する情報である。また、画像データ設定情報には、プリンタ１４０にて画像データを印刷する場合の設定（例えば、用紙サイズや両面印刷等）が含まれる。
【００１９】
画像データ記憶部１０２は、磁気ハードディスク装置や半導体記憶装置等の記憶装置を用いて構成される。画像データ記憶部１０２は、画像データを記憶する。画像データは画像データ生成部１０９によって生成される。画像データ記憶部１０２は、ユーザ名や画像データが生成された日時に応じてグルーピングされた画像データを記憶してもよい。具体的には、画像データ生成部１０９は、画像データ設定情報にて設定される保存場所の情報に基づいて、画像データを所定の場所にまとめて保存させる。保存場所は、例えばユーザ名や画像データが生成された日時毎に異なるように構成されてもよい。このように構成されることで、ユーザは自分が担当する画像データを取得したい場合、所定の日時の画像データを取得したい場合に、より早く取得できる。
【００２０】
入力部１０３は、入力装置１２０をプラント監視装置１００に接続するためのインタフェースである。入力部１０３は、入力装置１２０において入力された入力信号から入力データ（例えば、プラント監視装置１００に画像データ取得指示を示す指示情報）を生成し、プラント監視装置１００に入力する。なお、入力部１０３は、入力装置１２０と一体として構成されていてもよい。
【００２１】
画像データ取得指示部１０４は、所定の周期で画像データ生成指示部１０５に画像データ取得指示を送信する。所定の周期は、例えば、１時間に１回でもよいし、１日に１回であってもよい。所定の周期は、予めユーザによって指定される。なお、所定の周期は、ユーザによって任意の周期に変更されてもよい。このように構成されることで、ユーザの操作忘れ等による画像データの取得欠損をなくすことができる。また、画像データ取得指示部１０４は、プラント装置２００の異常を表すプラントデータを取得した場合、画像データ取得指示を送信してもよい。このように構成されることで、ユーザの判断ミス又は操作ミスによる画像データの取得欠損をなくすことができる。
【００２２】
画像データ生成指示部１０５は、受け付けた画像データ取得指示に応じて、描画情報生成部１０６に画像データ生成指示を送信する。画像データ生成指示部１０５は、画像データ生成指示を送信する場合、画像データ設定記憶部１０１から、画像データ設定情報を取得する。画像データ生成指示部１０５は、取得した画像データ設定情報を、画像データ生成指示と共に、描画情報生成部１０６に送信する。
【００２３】
描画情報生成部１０６は、プラントデータ及びベース画面データに基づいて描画情報を生成する。ベース画面データは、表示装置１３０に表示される画面データの雛形となるデータである。ベース画面データは、例えば、現在の運転状況、系統図画面、トレンドグラフ、一覧表示、サマリ画面、運転モード画面、条件表示画面、個別計器選択等の形式で表示させるデータである。ユーザは取得したい画像データのベース画面データを描画情報生成部１０６に設定することで、画像データの取得漏れを防止できる。描画情報は、画面データを表示装置１３０に表示させる情報である。
【００２４】
描画情報生成部１０６は、生成した複数の描画情報を主記憶装置（不図示）に記憶させる。描画情報生成部１０６は、生成した描画情報のうち、現在、表示部１０８に表示させている描画情報を表示部用描画情報として表示部１０８に出力する。なお、描画情報生成部１０６は、プラントデータを受信する都度、描画情報を生成してもよいし、画像データ生成指示を受け付けた場合に、描画情報を生成してもよいし、所定の周期で描画情報を生成してもよい。所定の周期は、例えば２００ｍｓｅｃ毎でもよいし、１ｓｅｃ毎でもよい。
【００２５】
通信部１０７は、ネットワークインタフェースである。通信部１０７はネットワーク４００を介して、コントローラ３００と通信する。通信部１０７は、例えば無線ＬＡＮ（Local Area Network）、有線ＬＡＮ、Ｂｌｕｅｔｏｏｔｈ（登録商標）又はＬＴＥ（Long Term Evolution）（登録商標）等の通信方式で通信してもよい。
【００２６】
表示部１０８は、表示装置１３０をプラント監視装置１００に接続するためのインタフェースである。表示部１０８は、表示部用描画情報から映像信号を生成し自身に接続されている表示装置１３０に映像信号を出力する。なお、表示部１０８は、表示装置１３０と一体として構成されていてもよい。
【００２７】
画像データ生成部１０９は、主記憶装置に記憶されている描画情報に基づいて、画像データを生成する。画像データ生成部１０９は、生成した画像データを画像データ記憶部１０２に記憶させる。画像データは、プラント装置２００の稼働状況を表す画像をキャプチャしたデータである。画像データは、画像データ設定情報にて指定された条件に従って生成される。例えば、出力ファイル形式としてＪＰＥＧが指定されている場合、画像データ生成部１０９は、ＪＰＥＧ形式の画像データを生成する。出力されるファイルに命名規則が指定されている場合、命名規則に基づいて、ファイル名を決定し、画像データ記憶部１０２に記憶させる。
【００２８】
画像データ出力処理部１１０は、画像データ記憶部１０２に記憶される画像データをプリンタ１４０に印刷させる。画像データ出力処理部１１０は、画像データをプリンタ１４０に出力させる場合、画像データ設定記憶部１０１から、画像データ設定情報を取得する。画像データ出力処理部１１０は、取得した画像データ設定情報に基づいて、画像データをプリンタ１４０に印刷させる。
【００２９】
入力装置１２０は、タッチパネル、マウス及びキーボード等の装置を用いて構成される。入力装置１２０は、ユーザによって入力された入力指示をプラント監視装置１００に入力する。ユーザによって入力される入力指示は、例えば、画像データ取得指示である。ユーザは、プラント装置２００の異常や、イベント発生時に、入力装置１２０を操作することで、プラント監視装置１００に複数の画像データを生成させる。プラント監視装置１００は、プラント装置２００の状態を画像データとして画像データ記憶部１０２に記憶させる。
【００３０】
表示装置１３０は、プラント監視装置１００に接続されるＣＲＴ（Cathode Ray Tube）ディスプレイ、液晶ディスプレイ、有機ＥＬ（Electro Luminescence）ディスプレイ等の出力装置を用いて構成されるなお、入力装置１２０と表示装置１３０とは一体のタッチパネルとして構成されてもよい。
【００３１】
プリンタ１４０は、画像データ記憶部１０２に記憶された画像データに基づいて、シート上に画像を形成する。プリンタ１４０は、トナー像を定着させる装置であってもよいし、インクジェット式の装置であってもよい。画像が形成されるシートは、プリンタ１４０に収容されているシートであってもよいし、手指しされたシートであってもよい。
【００３２】
図３は、本実施形態における画面データの一具体例を示す図である。図３の領域５００は、系統図を表す画面データである。画面データは、描画情報に基づいて生成される。領域５００は、例えば、表示装置１３０に表示される。領域５００は、領域５０１、領域５０２、領域５０３及び領域５０４を含む。領域５０１は、プラントの稼働状況を表す領域である。ユーザは、領域５０１の画面を閲覧し、プラントの稼働状況を確認する。領域５０１は、プラント監視装置１００がプラントデータを受信する度に、更新されても良い。
【００３３】
領域５０２は、表示装置１３０に表示可能な画面データの種類を選択させるためのボタンが表示される領域である。表示可能な監視画面は、描画情報生成部１０６によって生成される描画情報と対応する。領域５０２によると、プラント監視装置１００は、系統図、運転モード画面、条件表示画面、個別計器選択又はトレンド選択を表示可能であることがわかる。ユーザは、入力装置１２０又は表示装置１３０を介して、領域５０２のボタンを操作する。操作されたボタンに応じて、領域５０１の画面が切り替わる。例えば、領域５０２に記載される系統図が選択された場合、領域５０１には、プラント装置２００の系統図が表示される。
【００３４】
領域５０３は、キャプチャーボタンを表す領域である。ユーザは、入力装置１２０又は表示装置１３０を介して、領域５０３のキャプチャーボタンを操作する。キャプチャーボタンが操作された場合、画像データ生成部１０９は、描画情報に基づいて、画像データを生成する。生成された画像データは、領域５００に表示される監視画面に関する画像データである。
【００３５】
領域５０４は、マルチ画面キャプチャーボタンを表す領域である。ユーザは、入力装置１２０又は表示装置１３０を介して、領域５０４のマルチ画面キャプチャーボタンを操作する。マルチ画面キャプチャーボタンが操作された場合、画像データ生成部１０９は、生成された複数の描画情報に基づいて、複数の画像データを生成する。複数の画像データは、例えば、領域５０２にて選択可能な画面の画像データである。領域５００によると、マルチ画面キャプチャーボタンが操作された場合、画像データ生成部１０９は、領域５００に表示される監視画面、系統図、運転モード画面、条件表示画面、個別計器選択、トレンド選択等の主記憶装置に記憶される描画情報に対応する画像データを生成する。
【００３６】
なお、領域５０２に表示されるボタンは一具体例であって、その他のボタンが表示されても良い。又、領域５０４に表示されるマルチ画面キャプチャーボタンは、生成された描画情報があれば、領域５０２にて選択可能な画面以外の画像データを生成しても良い。
【００３７】
図４は、本実施形態の画像データ生成の処理の流れを示すフローチャートである。画像データ生成指示部１０５は、画像データ取得指示を受け付ける（ステップＳ１０１）。画像データ取得指示は、画像データ取得指示部１０４から受け付けてもよいし、入力装置１２０を介して、ユーザから受け付けてもよい。画像データ生成指示部１０５は、画像データ生成指示を描画情報生成部１０６に送信する（ステップＳ１０２）。描画情報生成部１０６は、主記憶装置に複数の描画情報を記憶させている。画像データ生成部１０９は、主記憶装置に記憶されている描画情報に基づいて、複数の画像データを生成する（ステップＳ１０３）。画像データ生成部１０９は、生成した画像データを画像データ記憶部１０２に記憶させる（ステップＳ１０４）。
【００３８】
このように構成されたプラント監視装置１００では、描画情報生成部１０６は、プラントデータ及びベース画面データに基づいて、複数の描画情報を生成し、主記憶装置に記憶させる。画像データ生成部１０９は、主記憶装置に記憶された描画情報から画像データを生成する。したがって、ユーザは、複数の画像データを取得するために、画面を切り替えながら取得する必要がなくなり、より短時間で画像データが取得でき、プラントの運転操作も円滑に行えるようになる。具体的には、本実施形態では２００ｍｓｅｃ程度の時間で画像データを取得できる。さらに、短時間で画像データが取得できることで、ユーザは、近い時間に取得した画像データ同士を比較でき。プラントの状況をより正確に解析できるようになる。
【００３９】
描画情報生成部１０６は、ベース画面データに基づいて描画情報を生成する。したがって、予め取得したい画像データのベース画面データを描画情報生成部１０６に出力することで、取得したい画像データの描画情報が生成される。したがって、ユーザは、画像データの取得漏れを防ぐことができる。
【００４０】
また、画像データ設定情報は、画像データを保存させる場所に関する情報を含む。従って、ユーザ毎に異なる場所に画像データを保存できる。このように構成されることで、画像データ生成部１０９は、ユーザ毎に異なる場所に画像データを保存する。従って、ユーザ別に画像データの管理ができるようになり、自身が担当する画像データを迅速に取得できる。
【００４１】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００４２】
本発明は、プラントの監視制御装置に適用できる。
【符号の説明】
【００４３】
１…監視制御システム，  １００…プラント監視装置，  １０１…画像データ設定記憶部，  １０２…画像データ記憶部，  １０３…入力部，  １０４…画像データ取得指示部，  １０５…画像データ生成指示部，  １０６…描画情報生成部，  １０７…通信部，  １０８…表示部，  １０９…画像データ生成部，  １１０…画像データ出力処理部，  １２０…入力装置，  １３０…表示装置，  １４０…プリンタ，  ２００…プラント装置，  ３００…コントローラ，  ４００…ネットワーク
【図１】
2019020833.tif 000003
【図２】
2019020833.tif 000004
【図３】
2019020833.tif 000005
【図４】
2019020833.tif 000006